(57)【特許請求の範囲】
【請求項１】
カリウムイオン記憶特性を有する無機化合物を吸着剤とし、血液中のカリウムイオンを選択的に除去する血液フィルター。
【請求項２】
前記無機化合物が、クリプトメラン（cryptomelane）型マンガン化合物である請求項１に記載の血液フィルター。
【請求項３】
前記マンガン化合物の組成が、ＭｎＯ2・0.28Ｈ2Ｏである請求項２に記載の血液フィルター。
【請求項４】
前記無機化合物が、タングステン酸塩である請求項１に記載の血液フィルター。
【請求項５】
前記タングステン酸塩の組成が、ＮａxＫ2-xＷ4Ｏ13（０＜ｘ＜２）である請求項４に記載の血液フィルター。
【請求項６】
前記タングステン酸塩の組成が、ＨxＫ2-xＷ4Ｏ13（０＜ｘ＜２）である請求項４に記載の血液フィルター。
【請求項７】
前記カリウムイオン除去に加えて、さらに他の血液浄化機能を有する請求項１〜６のいずれかに記載の血液フィルター。
【発明の詳細な説明】
【０００１】
【発明の属する技術分野】
本発明は、血液および血液製剤中からカリウムイオンを選択的に除去しうる血液フィルター、およびカリウムイオン除去に加えてさらに透析、白血球除去などの他の血液浄化機能をも有する血液フィルターに関する。
【０００２】
【従来の技術】
血中カリウムイオンは心機能に大きな影響を与えることは周知である。血中カリウム（カリウムイオン）濃度の正常値は、個体差はあるが３〜５ mEq/l程度とされており、これが８mEq/l 程度まで上昇すると心停止を起こすおそれがあるといわれている。血中カリウムイオン濃度の上昇は、食物からの過剰摂取に限らず、体内の組織細胞中に含まれるカリウムイオンが、ケガ、打撲などによる組織細胞の破壊によって血液中に流入することによって生ずることも知られている。特に事故などで応急的な止血処理が施される場合には、再び血液を循環させた際に、患部周辺のカリウムイオンを含む血液が循環することにより血中カリウムイオン濃度が急激に上昇し、致命的な高濃度になることもある。これを未然に防ぐことが必須である。
【０００３】
また輸血用血液または血液製剤は、保存中にカリウムイオン濃度が上昇するという問題点もある。具体的に説明する。輸血用血液または血液製剤は、輸血後の主に白血球に起因する副作用を防ぐために、遠心分離、放射線照射、濾過による白血球除去および不活化が行われている。特に国内では、同じＨＬＡ（ヒト主要組織適合性抗原遺伝子複合体）ハプトタイプを共有する確率が高く、輸血後に移植片対宿主反応（ＧＶＨＤ：Graft Versus Host Disease ）の発症リスクが高いと言われているため、該ＧＶＨＤ予防の唯一の有効な手段として放射線照射が行われる。この際の放射線照射量は比較的低線量であり、具体的に「輸血によるＧＶＨＤ予防のための血液に対する放射線照射ガイドライン(III) 」（日本輸血学会誌, 42(6), 1996 ）で推奨される照射量は15〜50Gyである。
【０００４】
このような照射量であれば、細胞の機能をある程度保ちつつ、細胞核内のＤＮＡにのみ障害を与えることができ、最終的には輸血のドナーリンパ球は消滅するとされている。一方、輸血効果に対する悪影響はほとんど無いとされており、具体的に、リンパ球、顆粒球（Duguid JKMら、Vox Sang誌, 60, 151-154(1991) ）、血小板（Button LN, Transfusion誌, 21, 419-426(1981))などについて悪影響がほとんど無いことが報告されている。
【０００５】
赤血球についても放射線照射により輸血効果は損なわれないとされているが、赤血球膜のイオン透過性に対してはある程度の影響が認められており、これにより血液または血液製剤の保存期間中にカリウムイオン濃度が上昇することが指摘されている（日本輸血学会輸血製剤放射線照射小委員会、上記日本輸血学会誌）。すなわち赤血球細胞内外のイオン濃度は、ナトリウムポンプによるイオンの汲出し、汲入れによってイオンバランスが適切に保たれているが、放射線照射により赤血球膜に障害を生じると、陽イオンが通過しやすく、その通過量は正常時よりも多くなる。しかし赤血球製剤を保存する４℃では、ナトリウムポンプ機能が停止状態となるため、カリウムイオンが細胞外へ漏れ出す一方、ナトリウムイオンの細胞内浸入により赤血球膜内外のイオンバランスは崩れる。このため上清のカリウムイオン濃度は著しく高くなる。
【０００６】
具体的には、採血後に１週間経過した赤血球ＭＡＰ液に、150KV のＸ線を15Gy照射し、１週間保存したり、未照射で６週間保管すると、血漿カリウム濃度は５０mEq/l に達することが知られている（日本輸血学会誌, 39(6),979-983, 1993 ）。このような保存血（血漿）中のカリウムイオンの上昇を防ぐためにはＸ線照射後、短期間の内に輸血に用いればよいが、その場合でも緊急大量輸血をする患者、腎不全患者、新生児などでは心機能障害を起こすおそれがある。このように血液または血液製剤中からカリウムを除去することは重要な課題である。
【０００７】
血中カリウムイオン濃度を低下させる方法はいくつか知られており、たとえばグルコースおよびインシュリンを患者に大量に投与すればよいが、血糖値が急激に低下する副作用がある。また従来陽イオン交換樹脂の適用も知られており、これを患者に投与して腸内でカリウムイオンを吸着する方法は実用化されているが、血中のカリウムイオン濃度を低下させるには長時間を要する。またイオン交換樹脂を血液または血液製剤と接触させることにより除去する方法も検討されている。しかしながら陽イオン交換樹脂は、本質的に陽イオンを非特異的に除去するため、カリウムイオンのみだけでなく除去する必要のない他のイオンたとえばカルシウムイオンなどまでも失われたり、また却って他のイオン濃度を上昇させたりすることもある。血中イオン（電解質）濃度の変化は、患者の心負荷を増大させるだけではなく、浮腫を生じるなど重篤な障害を引き起こす。そのためにも、カリウムイオン濃度を低下させる必要がある場合には、カリウムイオンを選択的に除去して、血中カリウムイオン濃度を迅速に低下させることは重要である。
【０００８】
【発明が解決しようとする課題】
本発明は、上記のような従来技術に鑑みてなされたものであって、血液または血液製剤中のカリウム（カリウムイオン）を選択的に除去しうる血液フィルター、さらに他の血液浄化機能も有する血液フィルター、および該血液フィルターを用いる血液中のカリウム除去方法を提供することを目的としている。
【０００９】
【課題を解決するための手段】
本発明では、カリウムイオン記憶特性を有する無機化合物を吸着剤とし、血液中のカリウムイオンを選択的に除去する血液フィルターを提供する。
上記カリウムイオン記憶特性を有する無機化合物としては、たとえばクリプトメラン(cryptomelane ）型マンガン化合物が挙げられる。
【００１０】
前記マンガン化合物の組成は、具体的にＭｎＯ2 ・0.28Ｈ2 Ｏで示される。
また上記無機化合物として、タングステン酸塩も挙げられる。
タングステン酸塩の組成は、具体的にＮａx Ｋ2-x Ｗ4 Ｏ13、またはＨx Ｋ2-x Ｗ4 Ｏ13で示される（ここで、０＜ｘ＜２）。
【００１１】
上記のような本発明の血液フィルターを用いると、血液中からカリウムイオンを選択的に除去することができ、イオン（電解質）バランスを崩すことなく血中カリウムイオンの濃度を低下させることができる。
本発明では、上記のようなカリウム除去に加えて、さらに他の血液浄化機能を有する血液フィルターも提供される。
本発明に係る血液中のカリウムイオン除去方法では、上記のような血液フィルターを、血液または血液製剤と接触させる。
【００１２】
【発明の実施の形態】
以下、本発明を具体的に説明する。本明細書において、「血液」という語は血液および血液製剤を総称する意味で用いられることがある。
本発明では、カリウムイオン記憶特性を有する無機化合物を吸着剤とする血液フィルターが提供される。
【００１３】
カリウムイオン記憶特性を有する無機化合物は、カリウム含有無機錯体中のカリウムイオンをプロトンなどの代替カチオン（foreign cation）に置換した化合物であり、分子中にカリウムイオンを取込みうる骨格構造（イオン格子）を有するカチオン性化合物である。具体的にはたとえば、無機化合物（ホスト化合物）中に、カリウムイオン（ゲストイオン）をイオン結合を保持したまま導入し、次いで加熱処理などにより、ホスト化合物の共有結合を保持させたまま骨格構造を成形した後、カリウムイオンを保有しうる骨格構造を実質的に変えずにカリウムイオンを代替カチオンに交換して得られる。
【００１４】
上記のような構造を有する無機化合物は、再びカリウムイオン（ゲストイオン）の接近によって、前記代替カチオンとカリウムイオンとが交換され、カリウムイオンは無機化合物中に取り込まれ、すなわちカリウムイオン記憶特性を示す。またカリウムイオン記憶特性を有する無機化合物は、このカチオン交換時に、カリウムイオンを選択的に取り込むことができる。
【００１５】
本発明では、上記のようなカリウムイオン記憶特性を示すことができれば、ホスト化合物を形成する元素、代替カチオンは特に限定されないが、たとえばこの無機化合物としては、クリプトメラン(cryptomelane ）型マンガン化合物、タングステン酸塩などが挙げられる。
【００１６】
本発明で用いられるクリプトメラン型マンガン化合物は、Ｋ2-x Ｍｎ8-y Ｏ16で示されるクリプトメラン中のＫを代替カチオンに置換したものに相当する化合物をいう。なおクリプトメランは、天然マンガン鉱の呼称の一つである。天然硬マンガン鉱（α- ＭｎＯ2 ）は、実質的にはマンガン以外の陽イオンを含み、Ｍ2-x Ｍｎ8-y Ｏ16の組成で示されるが、このＭ＝Ｋであるものがクリプトメラン(cryptomelane ）と称されている。
【００１７】
このようなクリプトメラン型マンガン化合物中の代替カチオンが、たとえばプロトンである場合には、水和二酸化マンガン（hydrous manganese dioxides）の組成で示される。
具体的には、ＭｎＯ2 ・0.28Ｈ2 Ｏの組成で示される水和二酸化マンガンが挙げられる。
【００１８】
本発明で用いられるクリプトメラン型マンガン化合物は、上記したようなカリウムイオン選択性の構造を有するように合成できれば、合成方法はとくに限定されない。
たとえばＭｎ（II）とＭｎ（VII ）とを用いる Guyard 反応により合成することができる。
Guyard反応は、M. P. Dubois（Ann. Chem. 5, 411(1936) ）により提案された合成方法などを利用して実施することができる。この反応では、Ｍｎ（II）と、Ｍｎ（VII ）とを、Ｍｎの総含量を0.7 〜0.8 Ｍの範囲に保持しながら異なるモル比で用いる。
【００１９】
具体的にはまずクリプトメランを合成した後、得られたクリプトメラン中のカリウムイオンをプロトンと交換することにより得られる。
クリプトメランは、１Ｍ硫酸を含む 0.5Ｍ過マンガン酸カリウム溶液に、１Ｍ硫酸マンガン（II）の１Ｍ硫酸溶液を、60℃で添加して沈殿（クリプトメラン）を生成させる。
得られたクリプトメラン中のカリウムイオンと、プロトンは、たとえば上記沈殿を硝酸洗浄することによりカチオン交換することができる。硝酸洗浄により、カリウムイオンを完全に除去することはできないが、最終的なカリウムイオン含有量が0.06-0.07meq/g程度にすることができる。
【００２０】
水和二酸化マンガンは、上記のようなGuyard反応に以外にも、過マンガン酸をＨ2 Ｏ2 またはＨＣｌなどで還元する方法、あるいはＭｎ（II）塩をＫＣｌＯ3 、Ｏ3 または（ＮＨ4 ）2 Ｓ2 Ｏ8 などで酸化する方法などにより合成することができる。なおこれらの反応は、Gmelin Handbuch derAnorganischen Chemie, Mangan Teil C 1,Springer-Verlag,Berlin,1973,pp.144-145.などに記載されており、これらを参照して水和二酸化マンガンを合成することができる。
【００２１】
またカリウムイオン記憶特性を有するタングステン酸塩としては、具体的に、タングステン酸カリウムＫ2 Ｗ4 Ｏ13中のＫの一部を代替カチオンに置換した組成のタングステン酸塩が挙げられる。Ｋ2 Ｗ4 Ｏ13で示されるタングステン酸カリウムでは、ｃ軸に沿ってＷＯ6 により２種類の多角形が形成され、各多角形中にＫが配位した構造であると推察されている。このような構造のＫ2 Ｗ4 Ｏ13のＫを全部他のカチオンに置換した化合物たとえばＮａＷ4 Ｏ13は安定な化合物であってカリウムイオンを取り込まないが、その一部を置換した場合には、ｃ軸の格子定数は実質的に変化せず、カリウムイオンを取り込むことができる。具体的にＫの交換率が６０％超たとえば６８％程度で、分子中Ｎａ＞Ｋとなってもカリウムイオン記憶特性を示すことができる。
【００２２】
このようなタングステン酸塩としては、たとえばＮａｘＫ2-x Ｗ4 Ｏ13の組成で示されるナトリウムイオン型タングステン酸塩、Ｈx Ｋ2-x Ｗ4 Ｏ13の組成で示されるプロトン型タングステン酸塩などを挙げることができる。ここで各組成中のｘは、０＜ｘ＜２であるが、たとえば上記ナトリウムイオン型タングステン酸塩における具体例としては、0.5 ＜ｘ＜1.35程度が挙げられ、プロトン型タングステン酸塩における具体例としては、ｘ＝0.25程度が挙げられる。
【００２３】
上記のようなタングステン酸塩は、上記のようなカリウムイオン選択性の構造を有するように合成できればその合成方法は特に限定されないが、たとえばまず炭酸カリウムと三酸化タングステンとを反応させてＫ2 Ｗ4 Ｏ13の組成を有するタングステン酸カリウムを合成した後、これを酸処理してプロトン型タングステン酸塩（Ｈx Ｋ2-x Ｗ4 Ｏ13）を得ることができる。ナトリウム型タングステン酸塩（Ｎａx Ｋ2-x Ｗ4 Ｏ13）は、上記Ｋ2 Ｗ4 Ｏ13を、硝酸ナトリウム塩の溶融物と接触させることにより得ることができる。
【００２４】
なお上記のような各マンガン化合物、タングステン化合物は、粉末Ｘ線回折法により同定することができる。
これら化合物は、空気中で安定であり、長期間に亘ってカリウムイオン記憶特性を示す。
【００２５】
本発明では、カリウムイオン選択性吸着剤として、上記のような無機化合物の１種を用いてもよく、２種以上を組合わせて用いてもよい。これらのうちでも、カリウムとイオン交換されるカチオンは、人体に安全でかつカリウムイオン除去処理により血中の電解質バランスに大きな影響を与えないプロトン型であることがより好ましい。プロトン型であれば、特にイオン交換により血中ナトリウム濃度が上昇することがないためである。
【００２６】
上記無機化合物は、合成により通常粉末状で得られるが、使用時にはそのままであるいは粒（顆粒）状、多孔質状などに加工して用いることができる。
また無機化合物に加えて、本発明の目的を損なわない範囲であれば、必要に応じて他の材料を任意に併用することができる。たとえば他の材料としては、塩化ビニル、ポリエステル、ポリアクリロニトリル、ポリオレフィン、ハロゲン化ポリオレフィン、ポリウレタン、ポリスルホン、ポリエーテルスルホン、ポリ（メタ）アクリレート、エチレンーポリビニルアルコール共重合体、ブタジエン−アクリロニトリル共重合体等の合成高分子あるいはこれらの混合物を用いることができる。またこのような任意の材料と上記無機化合物とが複合した形態で使用することもできる。
さらに上記のような吸着剤は、親水性付与、血液に対する影響を低減する為にコーティングなどの表面処理が施される場合もある。
【００２７】
本発明に係る血液フィルターは、上記のようなカリウムイオン記憶特性を有する無機化合物を吸着剤とすること以外は特に限定されず、血液フィルターの形状なども任意であってよい。血液フィルターは、固体を吸着剤とするときの一般的な手法たとえば吸着剤をカラムなどの容器に充填するなどにより製作される。
【００２８】
本発明の血液フィルターを用いれば、血液中の陽イオン電解質Ｎａ+ イオン、Ｋ+ イオン、Ｃａ2+イオン、Ｍｇ2+イオン、ＮＨ4+イオンなどのうちから、Ｋ+ イオンを選択的に除去することができる。
【００２９】
従来公知のイオン樹脂などを用いた血液フィルターでは、血液中からカリウムイオンを選択的に除去することは困難であり、通常カリウイオンとともに他の陽イオンも除去するか、あるいは却って血液中の他の陽イオンを上昇させるなど、イオンバランスを崩すことがあった。これに対して上記のような本発明の血液フィルターは、カリウムイオン選択性を示すので、特にプロトン型のものを用いれば、カリウムイオン以外の陽イオンの増減なく血液中からカリウムイオンを選択的に除去することができる。
【００３０】
具体的に血中の電解質濃度の正常値（mEq/l ）は、個体差もあり一概にはいえないが、一般的に、Ｎａ+ が１３５〜１４７程度、Ｋ+ が３〜５ mEq/l程度、Ｃａ2+が２．４〜２．７程度、Ｍｇ2+が０．７〜１．１程度であるとされている。
【００３１】
このＫ+ が７ mEq/l以上になると心機能に異常をきたし、前記したように８ mEq/l程度まで上昇すると心停止を起こすおそれがあるといわれている。本発明では、このように血中Ｋ+ 濃度が高くても、容易にＫ+ 濃度を低下させることができ、この際特に上記したようにプロトン型を用いれば、Ｎａ+ などの他の電解質濃度を増減させることなく、Ｋ+ 濃度を選択的に低下させることができる。本発明では、血中Ｋ+ 濃度が８ mEq/lを超えて高く、たとえばＸ線照射後あるいはそのまま保存期間中に輸液バッグ血液上清（血漿）中のＫ+ 濃度が３０ mEq/l程度まで上昇していてもＫ+ 選択性の効果を発現する。
【００３２】
血液中の陽イオン濃度は、通常、遠心分離により得られる血液上清中の陽イオン濃度として、電解質自動分析装置により分析することができる。
また本発明に係る血液フィルターは、無機化合物を吸着剤としており、オートクレーブによる滅菌処理が可能である。
【００３３】
本発明では、上記のような血液フィルターと、血液または血液製剤とを接触させることにより、血液中のカリウムイオンを除去することができる。したがってて本発明によれば、極めて簡易な方法によって血液中のカリウムイオンを選択的に除去することができ、しかもカリウムイオンを直接血液中から除去することができるので、患者の腸内にイオン交換樹脂を投与するなどの従来方法に比べて迅速に血中カリウムイオン濃度を適正範囲に低下させることができる。
【００３４】
本発明において、カリウム除去処理に供される血液は、採血血液そのままであってもよく、また抗凝固剤を含むものであってもよい。抗凝固剤としては、ヘパリン、ＦＵＴ（メシル酸ナファモスタット）、ＡＣＤ（クエン酸ナトリウム−クエン酸−デキストロース）、ＣＰＤ（クエン酸ナトリウム−クエン酸−リン酸−デキストロース）、ｃＰＤＡ-1（クエン酸−リン酸−デキストロース−アデニン）などが挙げられる。これらの使用量は、通常の保存血液に対して用いられる量程度であればよい。
【００３５】
本発明では、処理血液が上記のような抗凝固剤を含むものであっても、血中カリウムイオン以外の電解質濃度特にカルシウムイオン（Ｃａ2+) 、マグネシムイオン（Ｍｇ2+）、ナトリウムイオン（Ｎａ+ ）濃度を変動させることなく、カリウムイオン（Ｋ+ ）濃度を低下させることができる。
【００３６】
本発明では、上記のようなカリウムイオン除去に加えて、さらに血液透析、白血球除去等の他の血液浄化機能を組み合わされていてもよい。他の血液浄化機能は、血液中の病因物質を吸着除去しうる機能であって、病因物質に対応した吸着剤などが選択される。より具体的には、ウイルス、感染細胞、ＬＤＬ（Low-Density Lipoprotein ）、エンドトキシンなどの病因物質を吸着除去しうる物質を特に限定することなく用いることができる。
【００３７】
本発明では、これらの他の血液浄化機能を有する物質と、上記カリウムイオン除去無機化合物とを、別々の血液フィルターで用いることができる。
また本発明の目的を損なわない範囲であれば、これらを同一血液フィルター内に含ませてもよく、本発明では、特にこのような血液フィルターが提供される。この場合、無機化合物とともに同一血液フィルター内に含ませる物質としては、特にウイルスや副作用の原因となる白血球などの病因物質を除去しうる吸着剤が好ましく、具体的に白血球除去フィルター、ウイルス除去膜などが挙げられる。
【００３８】
【実施例】
次に本発明を実施例により具体的に説明するが、本発明はこれら実施例に限定されるものではない。
血液中のカリウム、ナトリウム、カルシウム各イオン濃度は、血液を3000prm で10分間遠心分離して得られた上清を、電解質自動分析装置（東亜電波製、NAKL-134）に供して測定した。
また以下の実験では、試験用血液として、ＡＣＤ血（血液１００ｍｌに対し、ＡＣＤ−Ａ液を１５ｍｌ加えた血液）に、塩化カリウムを、上清カリウム濃度が３０ｍｅｑ／Ｌとなるように添加したものを使用した。
【００３９】
（実施例１）
１Ｍ硫酸を含む 0.5Ｍ過マンガン酸カリウム（ＫＭｎＯ4 ) 溶液に、１Ｍ硫酸マンガン（II）の１Ｍ硫酸溶液を、60℃で添加して沈殿を生成させた。生成物は、粉末Ｘ線回折法により同定した。
沈殿中に含有されるカリウムを６Ｍ硝酸溶液で洗浄した後、沈殿を水洗、乾燥し、ＭｎＯ2 ・0.28Ｈ2 Ｏの組成を有するクリプトメラン型マンガン酸化物を得た。
【００４０】
上記で得られたクリプトメラン型マンガン酸化物３０mlを、円筒状の容器に充填して血液フィルターを製作した。
血液フィルターの入口から、約２４０mlの上記ＡＣＤ血を、５ml/minの流速で流した。
濾過前後の血液上清中のカリウム、ナトリウム、カルシウム各イオン濃度を上述の方法により測定した。測定結果を表１に示す。
【００４１】
（実施例２）
炭酸カリウムと三酸化タングステンとを１対４のバッチ組成で混合した後、７５０℃で、７２時間反応させてタングステン酸カリウム（Ｋ2 Ｗ4 Ｏ13) を得た。生成物は、洗浄乾燥後、粉末Ｘ線回折法により同定した。
次いで、このタングステン酸カリウムを１Ｍ硝酸で室温１２時間反応させて酸処理タングステン酸カリウムを得た。この酸処理タングステン酸カリウムの組成は、Ｈ0.25Ｋ1.75Ｗ4 Ｏ13であった。
【００４２】
得られた酸処理タングステン酸カリウム５０mlを円筒状の容器に充填して血液フィルターを製作した。
血液フィルターの入口から約２４０mlの上記ＡＣＤ血を流速５ml/minで流した。
濾過前後の血液上清中のカリウム、ナトリウム、カルシウム各イオン濃度を上述の方法により測定した。測定結果を表１に示す。
【００４３】
（比較例１）
実施例１において、クリプトメラン型マンガン酸化物３０mlに代えて、イオン交換樹脂（ロームアンドハース社製アンバーライトIR120Bを塩酸でＨ+ 型にしたもの）２０ｇを充填した血液フィルターを用いた以外は、実施例１と同様にして、約２４０mlの上記ＡＣＤ血を濾過した。結果を表１に示す。
【００４４】
（比較例２）
実施例１において、クリプトメラン型マンガン酸化物３０mlに代えて、市販のポリスチレンスルホン酸ナトリウムイオン交換樹脂（鳥居薬品製、ケイキサレート）２０ｇを充填した血液フィルターを用いた以外は、実施例１と同様にして、約２４０mlの上記ＡＣＤ血を濾過した。結果を表１に示す。
【００４５】
0003853104.tif 000002
【００４６】
以上の結果から、実施例１〜２においては、いずれもカリウム濃度のみが大きく低下し、他イオン（ナトリウム、カルシウム）の濃度には変化が無く、血液上清から選択的にカリウムを除去することができた。しかしながら、イオン交換樹脂を用いた比較例では、カリウムの濃度は低下するものの、ナトリウム、カルシウム等他の陽イオン濃度も大きく変動し、選択的除去は、出来なかった。
【００４７】
【発明の効果】
本発明の血液フィルターは、血液中の電解質のうちでも、カリウムイオンを選択的に除去することができるので、電解質バランスを崩さずにカリウム濃度のみを選択的に低下することができる。本発明では、この血液フィルターを、血液または血液製剤と接触させてることによって血中カリウム濃度を低下させることができ、操作も簡便であり、さらにイオン交換樹脂を患者に投与する従来のカリウム除去方法などに比べて、血中カリウム濃度を迅速に低下させることができる。